(57)【要約】【課題】  ４色の光を用いた多色発光表示装置を提供する。【解決手段】  表示装置１１は、行方向ｍ及び列方向ｎに配列された複数のピクセル２０を有する。ピクセル２０はそれぞれ、青緑、赤、緑、青色サブピクセル１０BG、１０R、１０G、１０Bから成る。赤、緑、青、および青緑色サブピクセル１０R、１０G、１０B、１０BGは、それぞれｘｙ色度座標（０．６５±０．０５，０．３５±０．０５）、（０．２０±０．１０，０．７０±０．１０）、（０．１５±０．０５，０．０６±０．０５）、及び、（０．０５±０．０５，０．６０±０．１０）の発色光を発する。また青緑色サブピクセル１０BGの発光色は、ｘｙ色度座標において、ｘおよびｙ値が緑色サブピクセル１０Gのｘおよびｙ値よりそれぞれ低い。【選択図】          図１
2007018902.tif 000002
【特許請求の範囲】
【請求項１】
赤色光を発する赤色サブピクセル、青色光を発する青色サブピクセル、緑色光を発する緑色サブピクセル、及び青と緑色の中間色である青緑色光を発する青緑色サブピクセルを含むピクセルを複数配列して構成され、前記青緑色サブピクセルの発光色は、ｘｙ色度座標において、ｘおよびｙ値が緑色サブピクセルのｘおよびｙ値よりそれぞれ低く、かつ前記赤、緑、青、および青緑色サブピクセルは、それぞれｘｙ色度座標（０．６５±０．０５，０．３５±０．０５）、（０．２０±０．１０，０．７０±０．１０）、（０．１５±０．０５，０．０６±０．０５）、及び（０．０５±０．０５，０．６０±０．１０）の発色光を発することを特徴とする多色発光表示装置。
【請求項２】
前記赤、緑、青、および青緑色サブピクセルは、それぞれ赤、緑、青、および青緑の光を発する赤、緑、青、および青緑色有機ＥＬ素子を含むことを特徴とする請求項１に記載の多色発光表示装置。
【請求項３】
前記赤、緑、青、および青緑色サブピクセルのうち、少なくともいずれかの色のサブピクセルがその色に対応するフィルタを含み、前記フィルタを含むサブピクセルは、前記有機ＥＬ素子からの光をフィルタで透過させて発色光を得ることを特徴とする請求項２に記載の多色発光表示装置。
【請求項４】
前記青、緑、赤、および青緑色サブピクセルは、それぞれ青、緑、赤、および青緑色フィルタを含み、青、緑、赤、および青緑色有機ＥＬ素子からの光をそれぞれ青、緑、赤、および青緑色フィルタで透過させて発色光を得ることを特徴とする請求項３に記載の多色発光表示装置。
【請求項５】
前記青緑色フィルタは、透過率が最大となる波長が、前記青色フィルタの透過率が最大となる波長より大きいとともに、前記緑色フィルタの透過率が最大となる波長より小さいことを特徴とする請求項４に記載の多色発光表示装置。
【請求項６】
前記赤色サブピクセルが赤色フィルタを含み、前記赤色有機ＥＬ素子から発せられる光の発光輝度が最大になる波長が、６００〜６５０ｎｍの範囲のいずれかに位置するとともに、前記赤色フィルタの透過率が最大になる波長が６００ｎｍ以上に位置することを特徴とする請求項３に記載の多色発光表示装置。
【請求項７】
前記緑色サブピクセルが緑色フィルタを含み、前記緑色有機ＥＬ素子から発せられる光の発光輝度が最大になる波長が、５１０〜５５０ｎｍの範囲のいずれかに位置するとともに、前記緑色フィルタの透過率が最大になる波長が５１０〜５５０ｎｍの範囲のいずれかに位置することを特徴とする請求項３に記載の多色発光表示装置。
【請求項８】
前記青色サブピクセルが青色フィルタを含み、前記青色有機ＥＬ素子から発せられる光の発光輝度が最大になる波長が、４３０〜４７０ｎｍの範囲のいずれかに位置するとともに、前記青色フィルタの透過率が最大になる波長が４３０〜４７０ｎｍの範囲のいずれかに位置することを特徴とする請求項３に記載の多色発光表示装置。
【請求項９】
前記青緑色有機ＥＬ素子は、その発光層の発光材料としてBAlqが用いられることを特徴とする請求項３に記載の多色発光表示装置。
【請求項１０】
前記青緑色サブピクセルが青緑色フィルタを含み、前記青緑色フィルタは、４３０〜４７０ｎｍの波長範囲における透過率が２０％以下となるとともに、透過率が最大になる波長が４９０〜５１０ｎｍに設定され、かつその最大透過率が６０％以上に設定されることを特徴とする請求項９に記載の多色発光表示装置。
【請求項１１】
一対の透明基板間に配置された液晶層を有する液晶パネルに光を照射する液晶ディスプレイ用のバックライトであって、
赤色光を発する赤色サブユニット、青色光を発する青色サブユニット、緑色光を発する緑色サブユニット、及び青と緑色の中間色である青緑色光を発する青緑色サブユニットを含むユニットを複数配列して構成され、前記青緑色サブユニットの発光色は、ｘｙ色度座標において、ｘおよびｙ値が緑色サブユニットのｘおよびｙ値よりそれぞれ低く、かつ前記赤、緑、青、および青緑色サブユニットは、それぞれｘｙ色度座標（０．６５±０．０５，０．３５±０．０５）、（０．２０±０．１０，０．７０±０．１０）、（０．１５±０．０５，０．０６±０．０５）、及び、（０．０５±０．０５，０．６０±０．１０）の発色光を発することを特徴とする液晶ディスプレイ用のバックライト。
【発明の詳細な説明】
【技術分野】
【０００１】
本発明は、４色の光を用いて画像を表示する多色発光表示装置に関する。
【背景技術】
【０００２】
従来、ディスプレイ装置において、フルカラー画像を実現するために、３原色の光を用いることが広く知られている。例えば、有機エレクトロルミネセンス素子（以下、有機ＥＬ素子という）を自発光光源として適用したディスプレイにおいては、表示領域上に無数のピクセルが設けられ、各ピクセルそれぞれがＲ、Ｇ、およびＢの光を発するサブピクセルから構成される。各サブピクセル（ＲＧＢ）それぞれは、出力値が調整可能であり、各サブピクセルの出力値それぞれが調整されることにより、各ピクセルは所望の色の光を発することができる。
【０００３】
ここで、各サブピクセルからＲＧＢ光を発するためには、例えば特許文献１に記載されるようにＲＧＢカラーフィルタを用いて白色光からＲＧＢの光を抽出する方法が知られている。また、例えば有機ＥＬ素子が３色塗り分け方式で製造され、各サブピクセルそれぞれに、赤、緑、青を発する有機ＥＬ素子が設けられる方法も知られている。
【０００４】
ところで、ディスプレイにフルカラー画像を適切に表示するために、カラーテレビにおいては、伝送方式がＮＴＳＣ方式として規格化されている。ＮＴＳＣ方式においては、伝送される画像の色の再現性を良くするために、ＲＧＢそれぞれの色度座標は以下のように規格化されている。
Ｒ＝（０．６４，０．３３）
Ｇ＝（０．２１，０．７１）
Ｂ＝（０．１５，０．０６）
【０００５】
さらに、パーソナルコンピュータのモニター等においては、ネットワーク等でやり取りされる画像等を適切に表示できるように、色の三原色の色度座標はｓＲＧＢとして以下のように規格化されている。
Ｒ＝（０．６４，０．３３）
Ｇ＝（０．３０，０．６０）
Ｂ＝（０．１５，０．０６）
【０００６】
上記規格化されたＲＧＢの色の光が発光できれば、ディスプレイ上においては、上記各ＲＧＢのｘｙ座標によって囲まれた領域内の色については、これらＲＧＢを組み合わせることにより表現することができる。
【特許文献１】特許第３４５１６８０号公報
【発明の開示】
【発明が解決しようとする課題】
【０００７】
一方、人が生体的に光を感知することができる可視光域は、ＮＴＳＣ方式やｓＲＧＢのＲＧＢ座標によって囲まれた領域より広く、領域外の色の光についても感知することができる。しかし、このような色については、ＮＴＳＣ方式やｓＲＧＢ方式においては、ディスプレイ上においては適切に表現することができず、例えば人の眼によって異なる色と感知される色についてもディスプレイ上においては同一の色として表示される場合がある。すなわち、現在のディスプレイにおいては人間が生体的に感知できる色を充分に表現できているとはいえない。
【０００８】
そこで、本願発明においては、上記問題点に鑑みてなされたものであり、フルカラー画像をより適切に表現することができる表示装置を提供することを目的とする。
【課題を解決するための手段】
【０００９】
本発明に係る多色発光表示装置は、赤色光を発する赤色サブピクセル、青色光を発する青色サブピクセル、緑色光を発する緑色サブピクセル、及び青と緑色の中間色である青緑色光を発する青緑色サブピクセルを含むピクセルを複数配列して構成され、青緑色サブピクセルの発光色は、ｘｙ色度座標において、ｘおよびｙ値が緑色サブピクセルのｘおよびｙ値よりそれぞれ低く、かつ赤、緑、青、および青緑色サブピクセルは、それぞれｘｙ色度座標（０．６５±０．０５，０．３５±０．０５）、（０．２０±０．１０，０．７０±０．１０）、（０．１５±０．０５，０．０６±０．０５）、及び（０．０５±０．０５，０．６０±０．１０）の発色光を発することを特徴とする。なお、ｘｙ色度座標は、ＣＩＥ（国際照明委員会）１９３１色度図における色度座標である。
【００１０】
赤、緑、青、および青緑色サブピクセルは、例えばそれぞれ赤、緑、青、および青緑の光を発する赤、緑、青、および青緑色有機ＥＬ素子を含む。
【００１１】
赤、緑、青、および青緑色サブピクセルのうち、少なくともいずれかの色のサブピクセルがその色に対応するフィルタを含み、フィルタを含むサブピクセルは、有機ＥＬ素子からの光をフィルタで透過させて発色光を得ることが好ましい。本発明においては、有機ＥＬ素子とフィルタを組み合わせることにより、各サブピクセルは所望の色度座標を有する光を発することができる。
【００１２】
青、緑、赤、および青緑色サブピクセルは、さらに好ましくはそれぞれ青、緑、赤、および青緑色フィルタを含み、青、緑、赤、および青緑色有機ＥＬ素子からの光をそれぞれ青、緑、赤、および青緑色フィルタで透過させて発色光を得る。また、青緑色フィルタは、透過率が最大となる波長が、青色フィルタの透過率が最大となる波長より大きいとともに、緑色フィルタの透過率が最大となる波長より小さいことが好ましい。
【００１３】
赤色サブピクセルが赤色フィルタを含む場合、例えば、赤色有機ＥＬ素子から発せられる光の発光輝度が最大になる波長が、６００〜６５０ｎｍの範囲のいずれかに位置するとともに、赤色フィルタの透過率が最大になる波長が６００ｎｍ以上に位置する。緑色サブピクセルが緑色フィルタを含む場合、例えば、緑色有機ＥＬ素子から発せられる光の発光輝度が最大になる波長が、５１０〜５５０ｎｍの範囲のいずれかに位置するとともに、緑色フィルタの透過率が最大になる波長が５１０〜５５０ｎｍの範囲のいずれかに位置する。青色サブピクセルが青色フィルタを含む場合、例えば、青色有機ＥＬ素子から発せられる光の発光輝度が最大になる波長が、４３０〜４７０ｎｍの範囲のいずれかに位置するとともに、青色フィルタの透過率が最大になる波長が４３０〜４７０ｎｍの範囲のいずれかに位置する。このように有機ＥＬ素子と、フィルタを適宜組み合わせることにより、赤色、緑色、青色のサブピクセルは、それぞれ色純度が高く所望の色度座標を有する光を発することができる。
【００１４】
青緑色有機ＥＬ素子は、例えばその発光層の発光材料としてBAlqが用いられる。この場合、例えば青緑色サブピクセルが青緑色フィルタを含み、青緑色フィルタは、４３０〜４７０ｎｍの波長範囲における透過率が２０％以下となるとともに、透過率が最大になる波長が４９０〜５１０ｎｍに設定され、かつその最大透過率が６０％以上に設定される。フィルタがこのように設定されることにより、青緑色有機ＥＬ素子の発光層の発光材料としてBAlqを用いた場合、青緑色サブピクセルは色純度の高い青緑色の光を発することができる。
【００１５】
本発明に係る液晶ディスプレイ用のバックライトは、一対の透明基板間に配置された液晶層を有する液晶パネルに光を照射する液晶ディスプレイ用のバックライトであって、赤色光を発する赤色サブユニット、青色光を発する青色サブユニット、緑色光を発する緑色サブユニット、及び青と緑色の中間色である青緑色光を発する青緑色サブユニットを含むユニットを複数配列して構成され、青緑色サブユニットの発光色は、ｘｙ色度座標において、ｘおよびｙ値が緑色サブユニットのｘおよびｙ値よりそれぞれ低く、かつ赤、緑、青、および青緑色サブユニットは、それぞれｘｙ色度座標（０．６５±０．０５，０．３５±０．０５）、（０．２０±０．１０，０．７０±０．１０）、（０．１５±０．０５，０．０６±０．０５）、及び、（０．０５±０．０５，０．６０±０．１０）の発色光を発することを特徴とする。
【発明の効果】
【００１６】
本発明によればピクセル内に４つのサブピクセルが設けられ、各サブピクセルそれぞれが赤、緑、青、青緑の光を発することにより、ピクセルは広い色域の光を発することが可能である。したがって、本発明における表示装置は、従来の表示装置に比べ、ディスプレイ上に広範囲な色域によって表現された画像を表示することが可能である。また、本発明に係る液晶ディスプレイ用のバックライトも同様に、ディスプレイ上に広範囲な色域によって表現された画像を表示することが可能である。
【発明を実施するための最良の形態】
【００１７】
図１は、本発明に係る第１の実施形態における表示装置を示す模式図である。第１の実施形態における表示装置１１においては、ピクセル２０が、行方向ｍおよび列方向ｎにそれぞれ多数配列され、マトリクス状に表示領域を構成している。各ピクセル２０は、例えば略正方形に形成され、行方向に４つのサブピクセルがストライプ状に並べられて構成される。ピクセル２０を構成する４つのサブピクセルは、図１に示すように、図中左から右に青緑、赤、緑、青色サブピクセル１０BG、１０R、１０G、１０Bの順で並べられる。ピクセル２０内におけるサブピクセルの配置位置は、すべてのピクセル２０において同一である。なお、各サブピクセルは、後述するように自ら発光することにより、表示装置１１上に表示される画像の一部を形成する。
【００１８】
図２は、本実施形態における各ピクセル２０の構成を具体的に示す模式図である。各ピクセル２０を構成するサブピクセルは、それぞれフィルタおよび有機ＥＬ素子によって構成される。各サブピクセル１０BG、１０R、１０G、１０Bを構成する青緑、赤、緑、青色有機ＥＬ素子２３BG、２３R、２３G、２３Bは、それぞれ、青緑、赤、緑、青色の光を発する有機ＥＬ素子である。有機ＥＬ素子２３BG、２３R、２３G、２３Bとともに、各サブピクセル１０BG、１０R、１０G、１０Bを構成する青緑、赤、緑、青色フィルタ２４BG、２４R、２４G、２４Bは、それぞれ青緑、赤、緑、青の光を透過するフィルタである。
【００１９】
各有機ＥＬ素子２３BG、２３R、２３G、２３Bは、図２に示すように透明基板３０の上面側において、それぞれ青緑色、赤色、緑色、青色有機ＥＬ層３１BG、３１R、３１G、３１Bが第１電極３２（例えば陽極）および第２電極３３（例えば陰極）に挟持されて構成される。
【００２０】
第１電極３２及び第２電極３３は、それぞれ互いに平行な複数の第１電極線、第２電極線によって構成され、第１電極線は、第２電極線それぞれに直交するように設けられる。そして、第１電極線と第２電極線とが交叉する位置の間に、それぞれ有機ＥＬ層が配置されている。このような構成により、各サブピクセルを構成する有機ＥＬ層は、各々独立に電流が入力されるので、各有機ＥＬ層の発光輝度は独立に制御される。
【００２１】
各フィルタ２４BG、２４R、２４G、２４Bは、それぞれ、各有機ＥＬ素子２３BG、２３R、２３G、２３Bに対応するように、透明基板３０の上面に積層される。フィルタ２４BG、２４R、２４G、２４Bの上面には、平滑層５０が設けられ、平滑層５０の上面は平滑化されており、この平滑化された上面に、第１電極（第１電極線）３２が被膜される。第１電極３２の上面には、各有機ＥＬ層３１BG、３１R、３１G、３１Bが被膜され、これら有機ＥＬ層の上面には、さらに第２電極３３が被膜される。
【００２２】
第１電極（第１電極線）３２は、透明電極であって、例えばITO（Indium Tin Oxide）、ATO(Antimony Doped Tindioxide)、ZnO（Zinc Oxide）、IZO（Indium Zinc Oxide)を用いて形成される。また、第２電極（第２電極線）３３は例えばアルミニウムを用いて形成されるとともに、平滑層５０は、例えばSiO2等を材質として用いて形成される。
【００２３】
赤色有機ＥＬ層３１Rは、例えば陽極側から順に正孔輸送層、赤色発光層、電子輸送層、電子注入層が積層されて構成される。正孔輸送層は、例えば、NPB（Ｎ，Ｎ’−ジ（ナフタレン−１−イル）―Ｎ，Ｎ’−ジフェニル−ベンジジン）、TPD（Ｎ，Ｎ０−ジフェニル−Ｎ，Ｎ０−ビス(３−メチルフェニル)−１，１０−ジフェニル−４，４０−ジアミン）等が用いられて形成される。赤色発光層は、例えば緑色発光材料に赤色ドーパント色素がドープされて形成される。緑色発光材料としては、例えばAlq3（トリキノリノレートアルミニウム）等のアルキレート化合物が使用される。赤色ドーパント色素は、特に限定されるわけではないが、DCM2（４−ジシアノメチレン−２−メチル−６−（２−（２，３，６，７−テトラ−ヒドロ−１Ｈ，５Ｈ−ベンゾ）［ｉｊ］キノリジン−８−イル）−４Ｈ−ピラン）、DCJTB（４−（ジシアノメチレン）−２−ｔ−ブチル−６−（１，１，７，７−テトラメチルジュロリジル−９−エニル）−４Ｈ−ピラン）、ローダミン６Ｇ（rhodamine 6G）、DCM（４−（ジシアノメチレン）−２−メチル−６−（ｐ−ジメチルアミノスチリル）−４Ｈ−ピラン）等が使用される。電子輸送層は、例えば、緑色発光材料でも使用されるAlq3等のアルキレート化合物が使用される。電子注入層は、例えばAl:Li（アルミリチウム）、またはLiFが用いられて形成される。
【００２４】
緑色有機ＥＬ層３１Gは、例えば陽極側から順に正孔輸送層、緑色発光層が積層されて構成される。正孔輸送層は、例えば赤色有機ＥＬ素子２３Rと同様に、NPB、TPD等が用いられて形成される。緑色発光層は、緑色発光材料を用いて形成され、緑色発光材料としては、例えば上述のAlq3等のアルキレート化合物が使用される。
【００２５】
青色有機ＥＬ層３１Bは、例えば陽極側から順に正孔輸送層、青色発光層、電子輸送層が積層されて構成される。正孔輸送層は、例えば赤色有機ＥＬ素子２３Rと同様に、NPB、TPD等が用いられて形成される。青色発光層は、青色発光材料を用いて形成され、青色発光材料としては、例えばPPCP（１，２，３，４，５−ペンタフェニル−１，３−シクロペンタジエン）のようなシクロペンタジエン系化合物が使用される。また、例えばβ-ADN（９，１０−ジ（２−ナフチル）アントラセン）、TBADN（２−ｔ−ブチル−９，１０−ジ（２−ナフチル）アントラセン）等のアントラセン誘導体、またはDPVBi（１，４−ビス（２，２−ジフェニルビニル）ビフェニル）、ADS082（４，４−ビス（ジフェニルビニレン）−ビフェニル）等のスチリル誘導体が使用される。なお、青色発光層は、青色発光材料に青色ドーパント色素がドープされても良く、青色ドーパント色素は、例えばペリレン（perylene）や、テトラ（ｔ−ブチル）ペリレン等のペリレン誘導体が使用される。電子輸送層は、例えば、Alq3等のアルキレート化合物が使用される。
【００２６】
青緑色有機ＥＬ層３１BGは、例えば陽極側から順に正孔注入層、正孔輸送層、青緑色発光層、電子注入層が積層されて構成される。正孔注入層は、例えばCuPc（copper phthalocyanine）を用いて形成される。正孔輸送層は、例えば赤色有機ＥＬ素子２３Rと同様に、NPB、TPD等が用いられて形成される。青緑色発光層は、例えばBAlq（ビス（２メチル−８−キノリノラート）（パラフェニルフェノラート）アルミニウム）が用いられて形成される。また、電子注入層は、例えばAl:Li、またはLiFが用いられて形成される。
【００２７】
各フィルタ２４BG、２４R、２４G、２４Bは、それぞれ、適宜顔料や染料等が選択されることにより、青緑、赤、緑、青の光を透過するフィルタとして形成される。
【００２８】
各有機ＥＬ素子２３BG、２３R、２３G、２３Bは、それぞれ陽極および陰極間に電流が流されると、陽極から正孔が、陰極から電子が注入される。注入された電子と正孔は、青緑色、赤色、緑色、及び青色有機ＥＬ層３１BG、３１R、３１G、３１Bで、それぞれ再結合し、それぞれの有機ＥＬ素子２３BG、２３R、２３G、２３Bからそれぞれ青緑色、赤色、緑色、青色の光が出射される。有機ＥＬ素子から発せられたそれぞれの光の発光スペクトルの一例を図７に示す。なお、有機ＥＬ素子から発せられた光とは、後述する平滑層や透明基板の影響を受けた光をも包含する。有機ＥＬ素子から発せられた光は、通常、後述する平滑層及び/又は透明基板などを透過した後、フィルタに入射することになる。しかし、平滑層あるいは透明基板の光透過特性によっては、有機ＥＬ素子から発せられた光のスペクトルに影響を及ぼし、有機ＥＬ素子そのものから発せられた光のスペクトルとフィルタに入射する光のスペクトルとが一致しなくなる。このようなことを考慮し、本発明では、有機ＥＬ素子から発せられた光とは、平滑層や透明基板により、スペクトルに影響を受けた光であってもよい。
【００２９】
各有機ＥＬ素子２３BG、２３R、２３G、２３Bから出射された青緑色、赤色、緑色、青色の光は、第１電極３２及び平滑層５０を透過した後、それぞれフィルタ２４BG、２４R、２４G、２４Bに入射される。そして、各有機ＥＬ素子から発せられた光は、各フィルタ２４BG、２４R、２４G、２４Bにおいて、不要な波長の光が適宜取り除かれた後、色純度の高い青緑色、赤色、緑色、青色、の光として透明基板３０を透過した後、外部に照射される。すなわち、各サブピクセル１０BG、１０R、１０G、１０Bは有機ＥＬ素子とフィルタの組み合わせにより、それぞれ色純度の高い青緑、赤、緑、青色の光を発する。そして、これらサブピクセルから発せられた光は混合され、表示装置の１ピクセル、すなわち画像の１ピクセルを構成する。
【００３０】
ここで、赤色サブピクセル１０Rから発せられる光のｘｙ色度座標は、（０．６５±０．０５，０．３５±０．０５）の範囲内に位置する。青色サブピクセル１０Bから発せられる光のｘｙ色度座標は、（０．１５±０．０５，０．０６±０．０５）の範囲内に位置する。緑色サブピクセル１０Gから発せられる光のｘｙ色度座標は、（０．２０±０．１０，０．７０±０．１０）に位置する。そして、青緑色サブピクセル１０BGから発せられる光のｘｙ色度座標は、（０．０５±０．０５，０．６０±０．１０）の範囲内に位置するとともに、ｘｙ色度座標のｘおよびｙ値が緑色サブピクセル１０Gのｘおよびｙ値よりそれぞれ低い。
【００３１】
これら各サブピクセルの光は、それぞれ有機ＥＬ素子に入力される電流値が適宜変更され、各サブピクセルの光の発光強度が調整される。ここで各サブピクセル１０BG、１０R、１０G、１０Bは、上記ｘｙ色度座標の値の光を発することができるので、各ピクセル２０は、各サブピクセルの光の発光強度を調整することにより、上記ｘｙ色度座標で囲まれる色度座標の光を発することができる。
【００３２】
赤色サブピクセル１０Rは、上記ｘｙ色度座標の光を得るためには、例えば、赤色サブピクセル１０Rから発せられる光の発光輝度が最大になる波長が６００〜６５０ｎｍの範囲内に位置し、発光ピークが１つで、かつそのピークの半値幅が７０ｎｍ以下に設定される。したがって、赤色有機ＥＬ素子２３Rは、上記材料が適宜選択されることにより、発する光の発光輝度が最大になる波長λRMAXが、６００〜６５０ｎｍの範囲のいずれかに位置するように設定され、そのピークの半値幅が７０ｎｍ以下に設定される。また、赤色フィルタ２４Rは透過率が最大になる波長が６００ｎｍ以上に位置し、かつ６００ｎｍ〜６５０ｎｍにおける最大透過率が６０％以上となるように設定されるとともに、波長域４５０〜５５０ｎｍにおいて透過率が１５％以下に設定される。このような有機ＥＬ素子とフィルタが組み合わされることにより、サブピクセル１０Rは、ｘｙ色度座標（０．６５±０．０５，０．３５±０．０５）の範囲の光を発することが可能となる。なお、本明細書において半値幅とは、いわゆる半値全幅のことであり、極大値の１／２における波の幅をいう。
【００３３】
緑色サブピクセル１０Gが、上記ｘｙ色度座標の光を得るためには、緑色サブピクセル１０Gから発せられる光の発光輝度が最大になる波長が例えば５１０〜５５０ｎｍの範囲内に位置し、発光ピークが１つで、かつそのピークの半値幅が７０ｎｍ以下に設定される。したがって、緑色有機ＥＬ素子２３Gは、上記材料が適宜選択されることにより、発光輝度が最大になる波長λGMAXが、例えば５１０〜５５０ｎｍの範囲のいずれかに位置するように設定され、かつそのピークの半値幅が７０ｎｍ以下に設定されることが好ましい。一方、緑色フィルタ２４Gは、例えば透過率が最大になる波長が５１０〜５５０ｎｍの範囲に位置するように設定されるとともに、少なくとも波長域５１０〜５５０ｎｍにおいて透過率が５０％以上になるように設定される。このような有機ＥＬ素子とフィルタが組み合わされることにより、サブピクセル１０Gは、ｘｙ色度座標（０．２０±０．１０，０．７０±０．１０）の範囲の光を発することが可能となる。
【００３４】
青色サブピクセル１０Bは、上記ｘｙ色度座標の光を得るためには、例えば、青色サブピクセル１０Bから発せられる光の発光輝度が最大になる波長が４３０〜４７０ｎｍの範囲に位置し、発光ピークが１つで、かつそのピークの半値幅が７０ｎｍ以下に設定される。したがって、青色有機ＥＬ素子２３Bは、発光輝度が最大になる波長λBMAXが、４３０〜４７０ｎｍの範囲のいずれかに位置するように設定される。また、青色フィルタ２４Bは透過率が最大になる波長が４３０〜４７０ｎｍ内に位置し、かつ波長域４３０〜４７０ｎｍにおける透過率が５０％以上となるように設定される。また、例えば５４０ｎｍ以上の透過率が２０％以下に設定される。このような有機ＥＬ素子とフィルタが組み合わされることにより、サブピクセル１０Bは、ｘｙ色度座標（０．１５±０．０５，０．０６±０．０５）の範囲の光を発することが可能となる。
【００３５】
青緑色サブピクセル１０BGは、上記ｘｙ色度座標の光を得るためには、青緑色サブピクセル１０BGから発せられる光はその発光ピークが１つで、発光輝度が最大になる波長が緑色サブピクセル１０Gより短く、例えば４９０〜５１０ｎｍの範囲に位置しなければならない。ここで、青緑色有機ＥＬ素子２３BGを上述のように発光層としてBAlqが用いられると、例えば青緑色有機ＥＬ素子２３BGから発する光は、その発光ピークが２つ見られ、一方のピークは発光輝度が最大になるピークであって、そのピーク波長λBGP1は、４５０〜４７０ｎｍの範囲に位置する。また、他方のピークλBGP2は、波長λBGP1の光よりその光の発光輝度は小さく、かつその波長λBGP2が波長λBGP1より長く４８０〜５００ｎｍの範囲に位置する。
【００３６】
このような有機ＥＬ素子を用いた場合、青緑色サブピクセル１０BGの光の発光輝度が最大になる波長が４９０〜５１０ｎｍの範囲に位置するためには、青緑色フィルタ２４BGは、一方のピーク波長λBGP1近傍の光を大幅に吸収しなければならない。そこで、本実施形態では、青緑色フィルタ２４BGは、少なくとも４３０〜４７０ｎｍの波長範囲における透過率が２０％以下となるように設定されるとともに、最大透過率の波長が４９０〜５１０ｎｍに設定されるとともに、最大透過率は少なくとも６０％以上に設定される。また、青緑色フィルタ２４BGは、透過率が最大となる波長が、青色フィルタ２４Bの透過率が最大となる波長より大きいとともに、緑色フィルタ２４Gの透過率が最大となる波長より小さい。このような青緑色フィルタ１０BGと青緑色有機ＥＬ素子２３BGを組み合わせることにより、本実施形態では青緑色サブピクセル１０BGは、ｘｙ色度座標が（０．０５±０．０５,０．６０±０．１０）の光を発するとともに、そのｘおよびｙ値が緑色サブピクセルのｘおよびｙ値よりそれぞれ低い。
【００３７】
以上説明したように、本実施形態においては、ピクセル２０内に４つのサブピクセルが設けられ、各サブピクセルそれぞれが上記ｘｙ色度座標に位置する光を発することにより、ピクセル２０は広い色域の光を発することが可能である。したがって、本実施形態における表示装置は、従来の表示装置に比べ、ディスプレイ上に広範囲な色域によって表現された画像を表示することが可能である。
【００３８】
なお、本実施形態においては、赤、緑、青、および青緑色サブピクセルは、それぞれｘｙ色度座標（０．６５，０．３５）、（０．２０，０．７０）、（０．１５，０．０６）、及び（０．０５，０．６０）の発色光を発することが好ましい。各サブピクセルが、このようなｘｙ色度座標の光を発することにより、各ピクセルは人が生体的に感度良く感知することができるｘｙ色度座標の色を表示することが可能である。
【００３９】
さらに、ピクセル２０内におけるサブピクセルは、図１のようにストライプ状に配置される場合に限らず、例えば図３に示すように配置されても良い。すなわち、サブピクセル１０１０R、１０G、１０BG、１０Bはそれぞれ略正方形に形成され、行方向ｍに２つ、列方向ｎに２つの４つのサブピクセルによって１つのピクセル２０が構成されていても良い。ピクセル２０を構成する４つのサブピクセル１０は、図３に示すようにそれぞれサブピクセル１０R、１０G、１０BG、１０Bであって、ピクセル２０内において、サブピクセル１０G、１０BGが対角の位置に配置されている。なお、ピクセル２０内におけるサブピクセル１０の配置位置は、すべてのピクセル２０において同一である。
【００４０】
次に、第２の実施形態について説明する。第１の実施形態に係る表示装置においては、有機ＥＬ素子は、自発光光源として利用されたが、第２の実施形態においては、有機ＥＬ素子が液晶ディスプレイのバックライトに利用される。
【００４１】
図４は、本実施形態に係る液晶ディスプレイを模式的に示した斜視図である。図４に示すように、液晶ディスプレイ２１０は、バックライト２２０と、液晶パネル１００を備える。
【００４２】
液晶パネル１００は、図中下方側に設けられた第１基板１０１、図中上方側に設けられた第２基板１０２の間に、下方側から順に、液晶用カラーフィルタ１０３、第１液晶用電極部１０４、液晶層１１０、第２液晶用電極部１０５が配置されて構成される。第１基板１０１の図中下面側には、第１偏光フィルタ１１１が、第２基板１０２の上面側には第２偏光フィルタ１１２が設けられる。第１及び第２基板１０１、１０２は、透明基板であって、プラスチック、ガラス基板等から成る。
【００４３】
第１及び第２液晶用電極部１０４、１０５は、透明電極であって、それぞれ互いに平行な複数の第１電極線１０４ａ、第２電極線１０５ｂによって構成され、各第１電極線１０４ａは、各第２電極線１０５ｂに直交するように設けられる。そして、第１電極線１０４ａと第２電極線１０５ｂとが交叉する位置それぞれにおいて、第１電極線１０４ａおよび第２電極線１０５ｂの間に積層される液晶層１１０の各部分は、１画素Ｐを構成する。液晶層１１０の各画素Ｐは、第１電極線１０４ａ及び第２電極線１０５ｂから印加される電圧により、分子の配列状態が変化させられる。
【００４４】
液晶用カラーフィルタ１０３は、液晶用赤色フィルタ１０３Ｒ、液晶用緑色フィルタ１０３Ｇ、及び液晶用青色フィルタ１０３Ｂがストライプ状に並べられて構成される。各液晶用フィルタ１０３Ｒ、１０３Ｇ、１０３Ｂは、その幅が１画素の幅に対応するように形成され、それぞれ第１電極線１０４ａに沿うように延びる。
【００４５】
図５は、バックライト２２０の断面図である。以下、図４及び図５を用いてバックライトの構成について説明する。バックライト２２０は、図４に示すように透明基板２３０に複数のＥＬユニット２２１が設けられて構成される。
【００４６】
各ＥＬユニット２２１は、図５に示すように青緑、赤、緑、青色ＥＬサブユニット２２２BG、２２２R、２２２G、２２２Bから成る。各ＥＬサブユニット２２２BG、２２２R、２２２G、２２２Bは、それぞれ青緑色、赤色、緑色、青色有機ＥＬ素子２２３BG、２２３R、２２３G、２２３B及び青緑、赤、緑、青色フィルタ２２４BG、２２４R、２２４G、２２４Bが組み合わされて構成される。
【００４７】
各フィルタ２２４BG、２２４R、２２４G、２２４Bは、それぞれ、各有機ＥＬ素子２２３BG、２２３R、２２３G、２２３Bに対応するように、透明基板２３０の上面に積層される。フィルタ２２４BG、２２４R、２２４G、２２４Bの上面には、第１の実施形態と同様に、平滑層２５０が設けられ、平滑層２５０の上面は平滑化されており、この平滑化された上面に、第１電極（第１電極線）２３２が被膜される。
【００４８】
各有機ＥＬ素子２２３BG、２２３R、２２３G、２２３Bは、図５に示すようにそれぞれ第１電極２３２（例えば陽極）上に積層され、それぞれの青緑色、赤色、緑色、青色有機ＥＬ層２３１BG、２３１R、２３１G、２３１Bは、第１電極２３２（例えば陽極）および第２電極２３３（例えば陰極）に挟持されて構成される。
【００４９】
なお、ＥＬユニット２２１を構成する有機ＥＬ層２３１BG、２３１R、２３１G、２３１Bは、第１の実施形態と同様に、ＥＬユニット２２１内においてストライプ状に並べられている。そして、ＥＬユニット２２１についても、第１の実施形態と同様に行方向ｍ、列方向ｎに無数に並べられている。ＥＬユニット２２１内における各有機ＥＬ層の配置位置は、すべてのユニット２２１において同一であっても良いし、異なっていても良い。また、図３に示すように、ＥＬユニット２２１は、行方向ｍに２つ、列方向ｎに２つ並べられた４つのサブユニットによって１つのＥＬユニット２２１が構成されていても良い。
【００５０】
各有機ＥＬ層２３１BG、２３１R、２３１G、２３１Bの第１電極２３２上における占有面積は、それぞれ液晶層１１０の１画素Ｐ分の面積よりも大きく、例えばＥＬユニット２２１の第１電極２３２上における占有面積は少なくとも液晶層１１０の４画素分以上の面積を占める。
【００５１】
なお、各有機ＥＬ層２３１BG、２３１R、２３１G、２３１B、第１電極及び第２電極２３２、２３３、及びフィルタ２２４BG、２２４R、２２４G、２２４Bの構成は、第１の実施形態と同様であるのでその記載は省略する。ただし、第１の実施形態における第１及び第２電極３２、３３は、それぞれ複数の電極線に分割されていたが、第２の実施形態に係る第１及び第２電極２３２、２３３は、複数の電極線に分割されずに単一電極であっても良い。第２の実施形態において有機ＥＬ素子は、バックライトに用いられるので、ＥＬサブユニット（及びＥＬユニット）毎に電流のオン−オフ、及び電流量が調整される必要がないからである。
【００５２】
以下、本実施形態に係る液晶パネルの動作について、図４、５を参照しつつ説明する。第１及び第２電極２３２及び２３３間に電流が流され、各有機ＥＬ層２３１BG、２３１R、２３１G、２３１Bに正孔と電子が注入されると、各ＥＬ層で電子と正孔が再結合され、各有機ＥＬ層２３１BG、２３１R、２３１G、２３１Bからは青緑色、赤色、緑色、青色の光が出射される。出射された光は、第１電極２３２及び平滑層２５０を介して、それぞれフィルタ２２４BG、２２４R、２２４G、２２４Bに入射される。そして、各カラーフィルタ２２４BG、２２４R、２２４G、２２４Bにおいて、不要な波長の光が適宜取り除かれた後、色純度の高い青緑色、赤色、緑色、青色、の光として透明基板を透過して外部に出射される。すなわち、各ＥＬサブユニット２２２BG、２２２R、２２２G、２２２Bは、色純度の高い青緑色、赤色、緑色、青色、の光を外部に出射する。
【００５３】
各ＥＬサブユニット２２２BG、２２２R、２２２G、２２２Bから出射された光は、拡散光であり、青緑色、赤色、緑色、青色の光は、混合され、白色光として液晶パネル１００に入射される。液晶パネル１００に入射された白色光は、第２偏光フィルタ１１２及び第２基板１０２を透過して、偏光として液晶層１１０に導入される。導入された偏光は、画素Ｐ毎に分子の配列状態の異なる液晶層１１０で変調させられ所定の偏光となった後、液晶用カラーフィルタ１０３によって赤、緑、青色のいずれかの光となる。これら赤、緑、青色の光は、第１基板１０１を通過した後、第１偏光フィルタ１１１で透過または吸収される。第１偏光フィルタ１１１を透過した光は、外部に出射され、画像を形成する。
【００５４】
各有機ＥＬ層２３１R、２３１G、２３１BG、２３１Bから発せられる光は、上記ｘｙ色度座標を有する光であって、これらの光が混合されて得られた光は、上述したように色域が非常に広い。したがって、本実施形態における液晶ディスプレイ２１０は、色再現性の良い画像を表示することができる。また、本実施形態においては、液晶用カラーフィルタ１０３は３色しか設けられなかったが、バックライト２２０と同様に、赤色、緑色及び青色フィルタに加えて、青緑色フィルタが設けられても良い。
【００５５】
なお、第１及び第２の実施形態においては、各サブピクセル及び各ＥＬサブユニットが、有機ＥＬ素子とフィルタの組み合わせにより構成されているが、有機ＥＬ素子の色純度が高い場合、フィルタを省略しても良い。また、場合によって、特定の色のサブピクセルに関し、フィルタを省略しても良い。
【００５６】
なお、第１の実施形態においては、各フィルタ２４BG、２４R、２４G、２４Bは電極と基板の間に配置されたが、図６に示すように、透明基板３０の下面側に配置されても良い。ただし、各フィルタ２４BG、２４R、２４G、２４Bは本実施形態と同様に、それぞれの有機ＥＬ素子２３BG、２３R、２３G、２３Bに対応するように設けられる。さらに、図６においては、平滑層は設けられず、第１電極３２が透明基板３０に直接積層される。また、第２の実施形態においても、同様にフィルタ２２４BG、２２４R、２２４G、２２４Bは、透明基板の下面側に設けられても良い。
【実施例】
【００５７】
以下、本発明について、実施例を用いてさらに詳細に説明するが、本発明は以下に述べる実施例に限定されるわけではない。なお、実施例においては、各色の有機ＥＬ素子とカラーフィルタを組み合わせたときの各発光色のｘｙ色度座標を確認した。
【００５８】
（１）赤色
（Ａ）有機ＥＬ素子
まず、ガラスから成る透明基板上に、赤色フィルタを設け、その赤色フィルタの上にSiO2から成る平滑層を積層した。そして、この平滑層の上に、ITOから成る透明電極（陽極）、NPBから成る正孔輸送層を、この順に真空蒸着により積層した後、その上にDCJTBを緑色発光材料Alq3にドープした赤色発光層を積層した。赤色発光層は、緑色発光材料であるAlq3に赤色ドーパント色素であるDCJTBを同時に真空蒸着し形成した。このとき、DCJTBはAlq3に対して1重量％ドープした。赤色発光層の上に、Alq3から成る電子輸送層、LiFから成る電子注入層、アルミニウムから成る陰極を順に、真空蒸着により積層し、赤色有機ＥＬ素子を得た。なお、各層の厚さは、透明基板が0.7ｍｍ、平滑層が400ｎｍ、陽極が125ｎｍ、正孔輸送層が60ｎｍ、赤色発光層が40ｎｍ、電子輸送層が40ｎｍ、電子注入層が5ｎｍ、陰極が100ｎｍであった。有機ＥＬ素子から、発せられる光の発光スペクトルは図７に示す。なお、図７において、横軸は波長(nm)、縦軸は発光輝度を表し、発光輝度は各有機ＥＬ素子における最大値を１として表した。
【００５９】
図７に示すように、赤色有機ＥＬ素子から発せられる光は、発光ピークが１つから成り、発光輝度が最大になる波長λRMAXは６２０ｎｍであった。また発光輝度の最大値を１としたとき、５９０〜６５０ｎｍにおいて、発光輝度が１／２以上となり、すなわち発光ピークの半値幅は６０ｎｍであった。
【００６０】
（Ｂ）カラーフィルタ
赤色フィルタは、Lee Filter社製の182 Light Red（商品名）を用いた。このフィルタの分光特性を図８に示す。図８中、横軸は波長（nm）、縦軸は透過率（×100％）を表す。図８に示すように、赤色フィルタにおいては、５８５〜７００ｎｍにおいて、透過率が５０％以上になるとともに、６００〜７００ｎｍにおいて、透過率が８０％以上と成った。また、透過率は６４５ｎｍで最大となった。一方、波長域４５０〜５５０ｎｍにおいて透過率は１０％以下であった。
【００６１】
上記有機ＥＬ素子と、カラーフィルタを組み合わせ、有機ＥＬ素子からの光をカラーフィルタ及び透明基板を介して取り出したときの光の色度座標ｘｙを図１２に示す。図１２においては横軸をＸ、縦軸をＹとする。図１２に示すように赤色光の色度座標ｘｙは（０．６６，０．３４）であった。なお、図１２においては、参考のためにＮＴＳＣ方式において規格化されているＲＧＢの値、及びｓＲＧＢにおいて規格化されているＲＧＢの値についてもそれぞれ点線及び一点鎖線で示す。また、本実施例においては、平滑層及び透明基板は、入射する光に対してスペクトルを変化させないフラットな透過特性を有するものを使用した。
【００６２】
（２）緑色
（Ａ）有機ＥＬ素子
まず、ガラスから成る透明基板上に、緑色フィルタを設け、その緑色フィルタの上にSiO2から成る平滑層を積層した。そして、平滑層の上にITOから成る透明電極（陽極）、NPBから成る正孔輸送層、Alq3から成る緑色発光層、アルミニウムから成る陰極をこの順に、真空蒸着により積層し、緑色有機ＥＬ素子を得た。なお、各層の厚さは、透明基板0.7ｍｍ、平滑層400ｎｍ、陽極が125ｎｍ、正孔輸送層が40ｎｍ、緑色発光層が40ｎｍ、陰極が100ｎｍであった。有機ＥＬ素子から発せられる光の発光スペクトルは図７に示す。
【００６３】
図７に示すように、緑色有機ＥＬ素子から発せられる光は、発光ピークが１つから成り、発光輝度が最大になる波長λGMAXは５３０ｎｍであった。また発光輝度の最大値を１としたとき、５００〜５６５ｎｍにおいて、発光輝度が１／２以上となり、すなわちこのピークの半値幅は６５ｎｍであった。
【００６４】
（Ｂ）カラーフィルタ
緑色フィルタは、Lee Filter社製の122 Fern Green（商品名）を用いた。このフィルタの分光特性を図９に示す。図９中、横軸は波長（nm）、縦軸は透過率（×100％）を表す。図９に示すように、緑色フィルタにおいては、５２０ｎｍにおいて透過率が最大になるとともに、５００〜５５０ｎｍにおいて透過率が７０％以上になった。また、４９０〜５６５ｎｍにおいて、透過率が最大透過率の１/２以上となり、すなわち半値幅が７５ｎｍであった。
【００６５】
上記有機ＥＬ素子と、カラーフィルタを組み合わせ、有機ＥＬ素子からの光を、上記カラーフィルタ及び透明基板を介して取り出した場合、光の色度座標ｘｙは（０．２１，０．７０）であった（図１２参照）。
【００６６】
（３）青色
（Ａ）有機ＥＬ素子
まず、ガラスから成る透明基板上に、青色フィルタを設け、その青色フィルタの上にSiO2から成る平滑層を積層した。そして平滑層の上にITOから成る透明電極（陽極）、TPDから成る正孔輸送層、PPCPから成る青色発光層、Alq3から成る電子輸送層、アルミニウムから成る陰極をこの順に、真空蒸着により積層し、青色有機ＥＬ素子を得た。なお、各層の厚さは、透明基板が0.7ｍｍ、平滑層が400ｎｍ、陽極が125ｎｍ、正孔輸送層が40ｎｍ、青色発光層が30ｎｍ、電子輸送層が30ｎｍ、陰極が100ｎｍであった。有機ＥＬ素子から発せられる光の発光スペクトルは図７に示す。
【００６７】
図７に示すように、青色有機ＥＬ素子から発せられる光は、発光ピークが１つから成り、発光輝度が最大になる波長λBMAXは４４５ｎｍであった。また発光輝度の最大値を１としたとき、４１５〜４７５ｎｍにおいて、発光輝度が１／２以上となり、すなわちピークの半値幅は６０ｎｍであった。
【００６８】
（Ｂ）カラーフィルタ
青色フィルタは、Lee Filter社製の183 Moonlight Blue（商品名）を用いた。このフィルタの分光特性を図１０に示す。図１０中、横軸は波長（nm）、縦軸は透過率（×100％）を表す。図１０に示すように、青色フィルタにおいては、４７０ｎｍにおいてその透過率が最大となるとともに、４３５〜４９５ｎｍにおいて透過率が７０％以上になった。また、４０５〜５１５ｎｍにおいて透過率が５０％以上になるとともに、５４０ｎｍ以上の透過率が２０％以下であった。
【００６９】
上記有機ＥＬ素子と、カラーフィルタを組み合わせ、有機ＥＬ素子からの光をカラーフィルタ及び透明基板を介して取り出したときの光の色度座標ｘｙは（０．１５，０．０５）であった（図１２参照）。
【００７０】
（４）青緑色
（Ａ）有機ＥＬ素子
まず、ガラスから成る透明基板上に、青緑色フィルタを設け、その青緑色フィルタの上にSiO2から成る平滑層を積層した。そして、平滑層の上に、透明基板上にITOから成る透明電極（陽極）、CuPcから成る正孔注入層、NPBから成る正孔輸送層、BAlqから成る青緑色発光層、LiFから成る電子注入層、アルミニウムから成る陰極を、この順に真空蒸着により、積層し、青緑色有機ＥＬ素子を得た。なお、各層の厚さは、透明基板が0.7ｍｍ、平滑層が400ｎｍ、陽極が125ｎｍ、正孔注入層が10ｎｍ、正孔輸送層が30ｎｍ、青緑色発光層が40ｎｍ、電子注入層が5ｎｍ、陰極が100ｎｍであった。青緑色有機ＥＬ素子から発せられる光の発光スペクトルは図７に示す。
【００７１】
図７に示すように、青緑色有機ＥＬ素子から発せられる光は、その発光ピークが２つ見られ、一方のピークは発光輝度が最大になるピークであって、そのピーク波長λBGP1は４６０ｎｍであった。他方のピークは、その発光輝度が一方のピークの発光輝度を１とすると、０．４７であり、その波長λBGP2が４９０ｎｍであった。
【００７２】
（Ｂ）カラーフィルタ
青緑色フィルタは、Lee Filter社製の124 Dark Green（商品名）を用いた。このフィルタの分光特性を図１１に示す。図１１に示すように、青緑色フィルタにおいては、透過率が最大になる波長が５０５ｎｍであった。このフィルタにおいては、４９５〜５３５ｎｍにおいては、その透過率が８０％以上であるとともに、４３０〜４８５ｎｍにおいては、透過率が１０％以下に抑えられていた。
【００７３】
上記有機ＥＬ素子と、カラーフィルタを組み合わせ、有機ＥＬ素子からの光を、上記カラーフィルタ及び透明基板を介して取り出した場合、光の色度座標ｘｙは（０．０５，０．５９）であった（図１２参照）。
【００７４】
以上実施例から、上述した有機ＥＬ素子と、カラーフィルタを組み合わせることにより、４つのサブピクセル（又はサブユニット）が、（０．０５，０．５９）、（０．６６，０．３４）、（０．２１，０．７０）、及び（０．１５，０．０５）の光を発することができることが理解できる。すなわち、実施例に係る表示装置（又は液晶ディスプレイ用のバックライト）は、これら有機ＥＬ素子とカラーフィルタが組み合わされることにより、上記ｘｙ色度座標で囲まれる色を、表現可能である。
【図面の簡単な説明】
【００７５】
【図１】第１の実施形態に係る表示装置の各ピクセルの配列を模式的に示した図である。
【図２】各ピクセルを模式的に示した断面図である。
【図３】変形例に係る表示装置の各ピクセルの配列を模式的に示した図である。
【図４】第２の実施形態に係る液晶ディスプレイを模式的に示した斜視図である。
【図５】液晶ディスプレイ用バックライトの模式的な断面図である。
【図６】各ピクセルの変形例を模式的に示した断面図である。
【図７】実施例における各有機ＥＬ素子の色度分布を示すグラフである。
【図８】実施例における赤色フィルタの色度分布を示すグラフである。
【図９】実施例における緑色フィルタの色度分布を示すグラフである。
【図１０】実施例における青色フィルタの色度分布を示すグラフである。
【図１１】実施例における青緑色フィルタの色度分布を示すグラフである。
【図１２】実施例における各色のカラーフィルタと有機ＥＬ素子を組み合わせたときの色度座標を示すグラフである。
【符号の説明】
【００７６】
１０BG  青緑色サブピクセル
１０R  赤色サブピクセル
１０G  緑色サブピクセル
１０B  青色サブピクセル
２０  ピクセル
２３BG、２２３BG  青緑色有機ＥＬ素子
２３R、２２３R  赤色有機ＥＬ素子
２３G、２２３G  緑色有機ＥＬ素子
２３B、２２３B  青色有機ＥＬ素子
２４BG、２２４BG  青緑色フィルタ
２４R、２２４R  赤色フィルタ
２４G、２２４G  緑色フィルタ
２４B、２２４B  青色フィルタ
３１BG、２３１BG  青緑色有機ＥＬ層
３１R、２３１R  赤色有機ＥＬ層
３１G、２３１G  緑色有機ＥＬ層
３１B、２３１B  青色有機ＥＬ層
２２１  ＥＬユニット
２２２BG  青緑色ＥＬサブユニット
２２２R  赤色ＥＬサブユニット
２２２G  緑色ＥＬサブユニット
２２２B  青色ＥＬサブユニット
【図１】
2007018902.tif 000003
【図２】
2007018902.tif 000004
【図３】
2007018902.tif 000005
【図４】
2007018902.tif 000006
【図５】
2007018902.tif 000007
【図６】
2007018902.tif 000008
【図７】
2007018902.tif 000009
【図８】
2007018902.tif 000010
【図９】
2007018902.tif 000011
【図１０】
2007018902.tif 000012
【図１１】
2007018902.tif 000013
【図１２】
2007018902.tif 000014